(57)【特許請求の範囲】
【請求項１】
皿乃至椀形状のディスク（８）をあぜ（Ｂ）の長手方向と交差する傾斜横軸（９）廻りに回転させながらあぜ（Ｂ）の長手方向に沿って進行することであぜ（Ｂ）の立面（Ｂ１）を削るあぜ削り装置において、
前記ディスク（８）は、進行方向に対して前方側が外向となるディスク角（θ１）と鉛直方向に対して上方側が外向となる傾斜角（θ２）を有して傾斜横軸（９）に支持され、前記傾斜横軸（９）が支柱（１１）の下部に支軸（１１Ａ）を介して装着され、前記支柱（１１）と傾斜横軸（９）との間に支軸（１１Ａ）廻りに傾斜横軸（９）を揺動することによりディスク（８）の傾斜角（θ２）を調整自在とする角度変更手段（１６）が備えられていることを特徴とするあぜ削り装置。
【請求項２】
前記ディスク（８）は、傾斜横軸（９）の支持部から外周の刃縁（８Ａ）に向う全体が曲面形状又は前記支持部から外周の刃縁（８Ａ）に向う全体が平面形状若しくは前記支持部から径方向中途までが曲面形状でこの曲面形状に連なる外周の刃縁（８Ａ）に向う外周側が平面形状とされた皿乃至椀形状であることを特徴とする請求項１に記載のあぜ削り装置。
【請求項３】
前記ディスク（８）の後尾に、該ディスク（８）による削り土（Ｂ３）をあぜ（Ｂ）より遠方の内方側に導出する案内羽根（１０）が備えられていることを特徴とする請求項１又は２に記載のあぜ削り装置。
【請求項４】
前記案内羽根（１０）を調整自在とする角度変更手段（１６）が備えられていることを特徴とする請求項３に記載のあぜ削り装置。
【請求項５】
前記ディスク（８）の前方側に、該ディスク（８）による削土位置を視認するためのマーカー手段（１７）が備えられていることを特徴とする請求項１〜４のいずれかに記載のあぜ削り装置。
【請求項６】
請求項１〜５に記載のあぜ削り装置（７）は、トラクタ（１）の後部に装着したロータリ耕耘装置（２）の左右いずれかの一側に装着されており、前記ディスク（８）による側方力をロータリ耕耘装置（２）の耕耘爪（４）で担持するように構成されていることを特徴とするあぜ削り装置。
【請求項７】
請求項６に記載のあぜ削り装置（７）は装着枠（１２）にユニットで
組付けられており、ロータリ耕耘装置（２）におけるロータリ機枠（３）に前記装着枠（１２）が前後位置調整自在又は脱着自在に装着されていることを特徴とするあぜ削り装置。
【発明の詳細な説明】
【０００１】
【発明の属する技術分野】
本発明は、あぜ削り装置に係り、より具体的にはディスクによってあぜの立面（法面ともいう）を削るようにしたトラクタ用あぜ削り装置に関する。
【０００２】
【従来の技術】
あぜ（畦）は、圃場に湛水するための周囲の土手であり、一般に周囲の土を盛り上げて造成される。
この畦は、落水後の乾燥による亀裂、ネズミやケラなどの小動物や雑草の根などによって穴が開けられるので、毎年補修する必要がある。
この補修作業は、畦の立面の削り取りによる前作業（あぜ削り作業）を実施した後に、削り立面に対する畦塗り作業がなされ、このあぜ削り作業は乾田状態で行う方式と湛水状態で行う方式とがある（１９９６年２月２０日発行の生物生産機械ハンドブック第４３６ページ参照）。
【０００３】
図１１および図１２を参照して一般的なあぜ削り作業を説明する。
図１１および図１２で示すように、皿乃至椀形状のディスクＡをあぜＢの長手方向と交差する傾斜横溝Ｃ廻りに回転（自転）させながらあぜＢの長手方向に沿って進行することであぜＢの立面Ｂ１を図１２で示すように削り取っていた。
【０００４】
【発明が解決しようとする課題】
図１２で示すような削り立面Ｂ１であると、該立面Ｂ１がほぼ鉛直方向での弯曲形状であることから、この立面Ｂ１にあぜ塗りすると塗り土Ｂ２を押し固めたとしても崩壊、亀裂等によって塗り土Ｂ２がずり落ちることがあった。
これは、削り立面Ｂ１が鉛直方向の弯曲形状であることから、塗り土Ｂ２の押し固めが不充分なことおよびずり落ちを防止するための安息角（塗り土Ｂ２がずり落ち（滑り落ち）しないで安定する角度をいう）が不足していたからである。
【０００５】
そこで本発明は、塗り土の押し固めが充分にできるとともに塗り土の安息角を充分に確保できるようにしたあぜの立面を削る装置を提供することが目的である。
【０００６】
【課題を解決するための手段】
本発明は、皿乃至椀形状のディスク８をあぜＢの長手方向と交差する傾斜横軸９廻りに回転させながらあぜＢの長手方向に沿って進行することであぜＢの立面Ｂ１を削るあぜ削り装置において、前述の目的を達成するために次の技術的手段を講じている。
すなわち、請求項１に係るあぜ削り装置は、前記ディスク８は、進行方向に対して前方側が外向となるディスク角θ１と鉛直方向に対して上方側が外向となる傾斜角θ２を有して傾斜横軸９に支持されており、該ディスク８によるあぜ削り立面Ｂ１が当該削り立面Ｂ１に塗られるあぜ塗り土Ｂ２の安息角θ３となるように設定されていることを特徴とするものである。
【０００７】
ここで安息角θ３とは、削り立面Ｂ１に塗られた（押し固めを含む）あぜ削り土Ｂ２が滑動したりすることのない角度をいい、あぜＢの高さ、土質等にもよるが鉛直線に対して３０°〜６０°（場合によっては８０°）程度をいう。
このように削り立面Ｂ１は安息角θ３とされていることから、塗り土Ｂ２の滑動は抑制されて水漏れ等が少ないあぜに補修できるのである。
前述した請求項１において、前記ディスク８は、傾斜横軸９の支持部から外周の刃縁８Ａに向う全体が曲面形状又は前記支持部から外周の刃縁８Ａに向う全体が平面形状若しくは前記支持部から径方向中途までが曲面形状でこの曲面形状に連なる外周の刃縁８Ａに向う外周側が平面形状とされた皿乃至椀形状であることが推奨される（請求項２）。
【０００８】
ここでディスク８の形状が傾斜横軸９の支持部から外周の刃縁８Ａに向う全体が曲面形状（以下、第１形状という）であるときは、削り土の反転性が非常に良好となり、草、切株等の天地返しを確実にする。また、前記支持部から外周の刃縁８Ａに向う全体が平面形状（以下、第２形状という）であるときは、削り土の反転性は前記第１形状に対してやや劣るけれども削り立面Ｂ１を平面にできてあぜ塗り土Ｂ２の押固め力を大にできるし、その滑動も抑制できる。更に、前記支持部から径方向中途までが曲面形状でこの曲面形状に連なる外周の刃縁８Ａに向う外周側が平面形状とされた形状（以下、第３形状という）であるときには、削り土の反転性は第１形状と第２形状の中間であり、削り立面Ｂ１についても平面に近づけることができるのであり、従って、圃場の状況、作業者（農家）のニーズによって選択できることになる。
【０００９】
前述した請求項１又は２において、前記ディスク８の傾斜角θ２を調整自在とする角度変更手段１６が備えられていることが推奨される（請求項３）。
また、前述した請求項１〜３において、前記ディスク８の後尾に、該ディスク８による削り土Ｂ３をあぜＢより遠方の内方側に導出する案内羽根１０が備えられていることが推奨される（請求項４）。
このように案内羽根１０を備えることによってディスク８によって削り出した削り土Ｂ３をあぜＢより大きく離すことが可能となり、あぜ塗り土に雑草等が差程混在しないこととなり、これ故、あぜ塗り土Ｂ２に雑草等に起因する亀裂等が少なくなって補修作業が完璧となる（漏水が少なくなる）。
【００１０】
前述した請求項４において、前記案内羽根１０を調整自在とする角度変更手段１６が備えられていることが推奨される（請求項５）。
更に前述した請求項１〜４において、前記ディスク８の前方側に、該ディスク８による削土位置を視認するためのマーカー手段１７が備えられていることが推奨される（請求項６）。
このようにマーカー手段１７を備えることにより、あぜＢの高さ、巾が変化（変動）乃至異っていたとしても、ディスク８による切削位置を適正できるのであり、延いては、ディスク８による切削抵抗が過度にならず耐久性を損なうこともない。
【００１１】
また、前述した請求項１〜６に記載のあぜ削り装置７は、トラクタ１の後部に装着したロータリ耕耘装置２の左右いずれかの一側に装着されており、前記ディスク８による側方力をロータリ耕耘装置２の耕耘爪４で担持するように構成されていることが推奨される（請求項７）。
更に、前述した請求項７に記載のあぜ削り装置７は装着枠１２にユニットで組付けられており、ロータリ耕耘装置２におけるロータリ機枠３に前記装着枠１２が前後位置調整自在又は脱着自在に装着されていることが推奨される（請求項８）。
【００１２】
ここで、ロータリ耕耘装置２は、センタードライブ方式、サイドドライブ方式等々その伝動方式は任意であり、また、耕耘爪４はこれを駆動するか非駆動（ＰＴＯ伝動系を中立にする）は自由であるが、消費馬力の軽減、ディスク８の削土深さの一定化（安定性）を加味すれば中立（耕耘爪（爪軸）を駆動しないで爪先を圃場に接当する）にすることが推奨される。
【００１３】
【発明の実施の形態】
以下、図を参照して本発明の実施の形態について説明する。
トラクタ用あぜ削り装置で例示する図１〜図３において、車輪形で例示するトラクタ１の後方には三点リンク等によってロータリ耕耘装置２が昇降自在として装着されている。
ロータリ耕耘装置２は、ロータリ機枠３と、耕耘爪４を有する爪軸を前記機枠３に水平横軸廻りに回転自在に支持して構成したロータリ耕耘部５と、このロータリ耕耘部５を覆うロータリカバー６等で主構成されている。
【００１４】
ロータリ耕耘装置２の左右いずれかの一側、図では右側に本発明に係るあぜ削り装置７が装着されている。
あぜ削り装置７は、図９および図１０で示すように皿乃至椀形状のディスク８をあぜＢの長手方向と交差する傾斜横軸９の廻りに回転させながらトラクタ１の走行によりあぜＢの長手方向に沿って進行することであぜＢの立面Ｂ１を削るように構成されている。
前記ディスク８は、図４〜６で示すように進行方向Ｘに対して前方側が外向となる例えば３０°のディスク角θ１と図１で示すように鉛直方向Ｙに対して上方側が外向となる例えば３５°の傾斜角θ２を有して傾斜横軸９に支持されており、該ディスク８によるあぜ削り立面Ｂ１が当該削り立面Ｂ１に塗られるあぜ塗り土Ｂ２の安息角θ３となるように設定されている。
【００１５】
ここで安息角θ３とは塗り土Ｂ２がずり落、滑り落しないで安定する角度をいい、あぜＢの高さ、塗り土Ｂ２の土質（粘土質かシルト質等）、塗り土Ｂ２の塗り厚さ、塗り土Ｂ２の押し固め力等々にもよるが、鉛直線に対して３０°〜８０°の傾斜角θ２、すなわち、立面（法面）Ｂ１の角度に相当する角度をいう。
前記ディスク８は、図５で示すように傾斜横軸９の支持部から外周の刃縁８Ａに向う全体（内外両面を含む）が曲面形状とされた皿形乃至椀形状（第１形状）に構成されるか又は図４で示すように傾斜横軸９の支持部から外周の刃縁８Ａに向う全体（内外両面を含む）が平面形状とされた皿形乃至椀形状（第２形状）に構成されるか若しくは図６で示すように前記支持部から径方向中途までが曲面形状８Ｂ（内外両面を含む）でこの曲面形状８Ｂに連なる外周の刃縁８Ａに向う外周側が平面形状８Ｃ（内外両面を含む）とされた皿形乃至椀形状（第３形状）とされている。
【００１６】
前述した第１形状のディスク８によれば、図９および図１０で示すように刃縁８Ａによって削った削り土Ｂ３の反転性は非常に良好となる反面、立面Ｂ１はＲ面となり各位置で傾斜角度（立面Ｂ１の角度）が異なり、前述した第２形状のディスク８によれば、刃縁８Ａによって削った削り土Ｂ３の反転性は前述の第１形状よりもやや劣る反面、立面Ｂ１は各位置で角度一定の畦面を得ることができるし、前述した第３形状のディスク８によれば、第１・２形状の中間的な機能乃至作用を奏し、ストレート部分（平面形状部分）を短くすることで反転性は第１形状に近づけることが可能となる。
【００１７】
なお、ディスク８の材料は、Ｍｎ−Ｃｒ鋼、Ｃｒ−Ｍｏ鋼、Ｎｉ−Ｃｒ鋼等であり、プレスした後に熱処理によってロックウェルＣ３８〜４５程度の硬度とされており、刃縁（刃先）８Ａの形状は、背面刃又は内面刃のいずれであっても良く、ディスク８はこれに対する土付着を防止するため、テフロン（登録商標）等の被膜をコーティングする等は自由である。
また、図４〜図６で示すようにディスク８の直径Ｄは例えば５８０ｍｍで、ディスク高さ（幅）Ｌは７０ｍｍとされる。
【００１８】
図１〜図３で示すように、あぜ削り装置（あぜ切り具）７は、ディスク角θ１と傾斜角θ２とを有して傾斜横軸９に回転自在に支持されているディスク８と、この後尾に配置されている案内羽根１０とで主構成されてユニットに組付け（組立て）られており、その支柱１１が装着枠１２を介してロータリ機枠３に前後位置調整自在又は着脱自在に装着されている。
ロータリ機枠３の左右方向端部には前後方向に沿って取付筒３Ａが固着されており、この取付筒３Ａに装着枠１２の主枠１２Ａが挿通され、ボルト等で示す締結具１３等によって前後位置調整自在又は脱着自在とされ、装着枠１２の主枠１２Ａには後外方向に傾斜する腕体１２Ｂが延設され、この腕体１２Ｂの自由端には支柱１１の取付筒１２Ｃが筒長手方向を鉛直方向として固着され、この取付筒１２Ｃに支柱１１が挿通され、ボルト等で示す締結具１４等によって高さ位置調整自在とされ、主枠１２Ａと腕体１２Ｂとは筋違い状の補強枠１２Ｄで連結されている。
【００１９】
支柱１１の下部には前後方向（進行方向）の支軸１１Ａを介して傾斜横軸９又はこれの取着ブラケット１５が支軸１１Ａ廻りで回動自在に装着されており、支柱１１の中途と取着ブラケット１５に亘ってネジ構造（ターンバックル構造を含む）の角度変更手段１６が装着され、ここに、角度変更手段１６を伸縮することよってディスク８はその傾斜角度θ２が３０〜８０度の範囲で図７の矢示のように調節自在とされている。
取着ブラケット１５に案内羽根１０の基部（先端又は前端）を固着することによってディスク８とともに案内羽根１０が角度調整自在であり、ディスク８によって切り込まれそのディスク８の回転（図１の矢示Ｚ参照）による反転土を持上げしたとき、その削り土Ｂ３をあぜＢより遠方側に導出するようにされていて、この導出する角度が調整自在とされている。
【００２０】
案内羽根１０は平板を弓形状に弯曲形成したものであり、その外側立面には羽根長手方向に棒材１０Ａを固着することで削り土Ｂ３の導出抵抗で案内羽根１０が変形等するのを防止しており、案内羽根１０の自由端（後端）は、図３で示すようにロータリ耕耘部５と左右方向でオーバーラップし、ロータリカバー６内で耕耘部５の後方に位置している。
なお、前述した第１形状のディスク８のときは反転土を持上げするのでロータリカバー６に反転土Ｂ３が入り難く、これ故、引き継ぎのために案内羽根１０を装着するのであり、一方、第２形状のディスク８のときは反転土の持上げが少なくカバー６に入り易いことから案内羽根１０を省略することも可能であるが、案内羽根１０を装着してあぜＢよりできるだけ離れた位置に反転土Ｂ３を導出することが望ましい。
【００２１】
すなわち、反転土Ｂ３は、あぜＢの立面Ｂ１を削り出すものであり、該立面Ｂ１には雑草等が植生しており、この雑草を含んで立面Ｂ１を削り出し、立面Ｂ１は土の肌面とされる。
一方、削り土（反転土）Ｂ３を塗り土Ｂ２として利用すると、前述のように雑草を混入しており、これ故、塗り土Ｂ２が乾燥されたとき、雑草に起因する亀裂が発生し易くなり、これ故、削り土Ｂ３を塗り土Ｂ２にできるだけ利用しないように、あぜＢより遠方に導出するのである。
【００２２】
更に、図１および図２で示すように、前記ディスク８の前方側に、該ディスク８による削土位置を視認するためのマーカー手段１７が備えられている。
図示ではマーカー手段１７は、装着枠１２の腕体１２Ｂに図８で示すように抱込金具１７Ａ等を介して位置調整自在として装着されているとともに、抱込金具１７Ａに支持棒１８の基部を左右方向に首振り自在として締結具１８Ａを介して装着し、この支持棒１８の先端にマーカー棒１８Ｂを高さ調整自在として装着しており、ここに、マーカー手段１７はディスク８，案内羽根１０とともにユニット化されているのである。但し、マーカー手段１７はロータリ機枠３に装着することも可能であり、マーカー棒１８Ｂの先端（下端）は、あぜＢの切削位置に接触して線引きするか非接触してマーカー棒１８Ｂの延長上を切削位置としてトラクタ１の運転者が視認可能である。
【００２３】
更に、図１〜図３で示すように、あぜ削り装置７は、トラクタ１の後部に装着したロータリ耕耘装置２の左右いずれかの一側に装着されており、前記ディスク８による側方力をロータリ耕耘装置２の耕耘爪４で担持するように構成されている。
すなわち、耕耘爪４の先端を圃場に接示させることにより、ディスク８による削り深さを一定にするとともに側方力を担持し、直進性を確保している。
次に、図１〜図３で示したトラクタ用あぜ削り装置７の作用を概説する。
【００２４】
あぜＢの高さ、巾等に応じてその切削位置をマーカー手段１７で視認できるようにセットするとともに、ロータリカバー６の後部カバーは持上げ（浮力）ておき、耕耘部５は中立状態にしてトラクタ１をあぜＢの長手方向に沿って走行させる。
ディスク８はその前方側でマーカー手段１７で視認されたあぜＢの切削位置を切り込みトラクタ１の走行に伴って傾斜横軸９廻りに図１の矢示Ｚ方向に自転（回転）することにより、あぜＢの立面Ｂ１をその全面に亘って切削する。
【００２５】
削り土Ｂ３はディスク８の凹部によって反転され、案内羽根１０によって後内方へ導出される。
あぜＢの立面Ｂ１をその全面に亘って切削した後に、例えばドラム型畦塗り機を用いて立面Ｂ１の全面に亘って塗り土Ｂ２を押し固めながら畦塗り作業がなされ、その塗り土Ｂ２は安息角θ３の下で立面Ｂ１に塗られかつ充分な力で押し固められているのでその後、崩壊等することがない補修作業が完了する。
なお、図９および図１０で示すようにディスク８によって畦際に溝ＤをあぜＢの長手方向に沿って形成（造成）することもできる。
【００２６】
【発明の効果】
以上詳述したように本発明によれば、塗り土の押し固めが充分で、塗り土の安息角を確保できるあぜ削り装置が提供できる。
【図面の簡単な説明】
【図１】トラクタ用のあぜ削り装置の側面図である。
【図２】同じく平面図である。
【図３】同じく背面図である。
【図４】ディスクの第１例を示す平面図である。
【図５】ディスクの第２例を示す平面図である。
【図６】ディスクの第３例を示す平面図である。
【図７】ディスクの角度調整手段を示す背面図である。
【図８】マーカー手段の斜視図である。
【図９】あぜ立面の切削例を示す第１例の背面図である。
【図１０】あぜ立面の切削例を示す第２例の背面図である。
【図１１】従来例のディスクを示している。
【図１２】従来例のあぜ切り状態の説明図である。
【符号の説明】
１  トラクタ
２  ロータリ耕耘装置
３  ロータリ機枠
４  耕耘爪
７  あぜ削り装置
８  ディスク
９  傾斜横軸
１０  案内羽根
【図１】
0003628990.tif 000002
【図２】
0003628990.tif 000003
【図３】
0003628990.tif 000004
【図４】
0003628990.tif 000005
【図５】
0003628990.tif 000006
【図６】
0003628990.tif 000007
【図７】
0003628990.tif 000008
【図８】
0003628990.tif 000009
【図９】
0003628990.tif 000010
【図１０】
0003628990.tif 000011
【図１１】
0003628990.tif 000012
【図１２】
0003628990.tif 000013